(57)【要約】      （修正有）【課題】農作業を終えた長靴をはいた者、またはブーツをはいた者が、手を汚すことなく、姿勢を崩すことなく、所作良く、快適に長靴・ブーツ等の履物を脱げる器具を提供すること。【解決手段】長靴・ブーツ等の履物の踵をひっかけて脱がす補助板６を先端に備えた板部５に、脚とその上部に座面を備えた椅子部を乗せることによって固定し、座った状態で長靴・ブーツ等の履物を脱ぐ事ができる構造を採る。座面1に座り、踵を補助板６に引っ掛け靴を脱いだあと板５に足を乗せる。その後別の履物にはきかえるか、室内に上がる。【選択図】図１４
2011019542.tif 000002
【特許請求の範囲】
【請求項１】
長靴・ブーツ等の履物の踵をひっかけて脱がす補助板を先端に備えた板部に、脚とその上部に座面を備えた椅子部を乗せることによって固定し、座った状態で快適に脱げる事を特徴とする長靴脱ぎ器。
【請求項２】
前記板部は、先端に長靴・ブーツ等の足首部をはさめる形状の切り欠きをもたせた補助板を設けた事を特徴とする、請求項1記載の長靴脱ぎ器。
【請求項３】
前記板部は、椅子部に座った使用者の体重で板部を押さえるため、椅子部材の一部をはめ込み固定するための溝が設けてあることを特徴とする、請求項1記載の長靴脱ぎ器。
【請求項４】
前記板部は、その本体中央に足を乗せられるステップを有する事を特徴とする、請求項1記載の長靴脱ぎ器。
【請求項５】
前記板部は、椅子部の前面に収納できることを特徴とする、請求事項1記載の長靴脱ぎ器。
【請求項６】
長靴・ブーツ等の履物を脱いだ後移動する際、任意の場所に置き使用する踏み台を備えていることを特徴とする、請求事項1記載の長靴脱ぎ器。
【発明の詳細な説明】
【技術分野】
【０００１】
本発明は長靴・ブーツ等の履物を快適に脱ぐための器具に関するものである。
【背景技術】
【０００２】
靴を脱ぐ動作を楽に行うための家具として、玄関椅子がある。玄関先で腰掛けられるため紐を解く作業など手による補助がしやすい。しかし履物が農作業を終えた後の長靴であった場合は、泥などがついているため補助する手が汚れる上、脱がすのに相当の力を要する。
【０００３】
履物がブーツの場合、より軽い力でブーツを脱ぐ補助具として、ブーツジャックがある。手でブーツに触れることなく立ったまま脱ぐことができる。しかし、立ったままの姿勢で足を縦に並べ、手前の足でブーツジャックを押さえつけ、もう片方を宙に浮かせる動作は、高齢者並びに身体の不自由な人にとっては、バランスをとるのが難しく、身体的負担が大きい。
【先行技術文献】
【特許文献】
【０００４】
【特許文献１】特開２００３−１１６６６８号公報
【発明の概要】
【発明が解決しようとする課題】
【０００５】
日本では室内に入る際に履物を脱ぐ機会が多い。ブーツを履いている場合、店内に入る時、座敷に上がる時、又は洋服等の試着室に入る時にも、屈みこんだり、立ったまま片足を上げるなどの動作を余儀なくされる。
【０００６】
農作業後の長靴を脱ごうとする場合には、中腰や屈みこむ姿勢をとらなければなら
ない上、脱がすのに相当な力を要する。高齢の方にとっては身体的に大きな負担が伴う。
【０００７】
特に農作業後の長靴は、泥がこびりついている場合も多く、補助する手が汚れてしまう。
【０００８】
長靴・ブーツ等のふくらはぎや膝辺りまで覆う形状の履物は、立った姿勢で手の補助なしに脱ぐことが不安定で難しい上、この様な所作は非常に見苦しい。
【課題を解決するための手段】
【０００９】
前記課題を解決するため、本器は長靴・ブーツ等の履物の踵をひっかけて脱がす補助板６を先端に備えた板部に、脚部とその上部に座面１を備えた椅子部を乗せ、さらに椅子に座った使用者の体重で板部を押さえることによって固定し、機能することを特徴とする構造を採る。
【００１０】
補助板６は、踵をはさみ込むための切り欠きを備えた形状で、板５の先端に設けられている。板５には、椅子部を位置決めするための溝が設けられている。また長靴・ブーツ等の履物を脱いだ後の足を乗せられるスペースを有する。
【発明の効果】
【００１１】
椅子部に座って、補助板６に設けられた切り欠きに踵をはさみ、足を手前に引き寄せることで、長靴・ブーツ等の履物のみ補助板６に捕らえられ脱ぐことができるので、動作の途中に手の補助を必要としない。そのため中腰や屈む、片足を上げるなどの動作も不要になり、身体的負担が軽減される。また履物を脱いだ足は板５に置くことができる。
【図面の簡単な説明】
【００１２】
【図１】長靴脱ぎ器の全体構成説明図である。
【図２】長靴脱ぎ器の使用時の投影図である。
【図３】長靴脱ぎ器の収納時の投影図である。
【図４】長靴脱ぎ器の踏み台収納場所を示した投影図である。
【図５】長靴脱ぎ器の踏み台収納後、長靴・ブーツ等の履物を背面から収納した様子を示した投影図である。
【図６】長靴脱ぎ器の平面図である。
【図７】長靴脱ぎ器の正面図である。
【図８】長靴脱ぎ器の右側面図である。
【図９】長靴脱ぎ器の底面図である。
【図１０】椅子部を位置決めする溝の方式１の説明図である。
【図１１】収納時のシャフトが納まる位置の説明図である。
【図１２】椅子部を位置決めする溝の方式２の説明図である。
【図１３】椅子部を位置決めする溝の方式３の説明図である。
【図１４】長靴脱ぎ器使用時の説明図である。
【図１５】長靴脱ぎ器の使用動作を示した説明図である。
【発明を実施するための形態】
【００１３】
長靴・ブーツ等の履物を脱がす補助板を備えた板部を、椅子部で押さえる構造をとることにより機能する形態とした。また、板部は椅子部に収納できる。
【実施例】
【００１４】
この器具は、図１における椅子部、板部、シャフト部及び踏み台で構成されている。使用時は図２のような状態になる。
【００１５】
椅子部は、左右の脚３の上部を９で、中間部を２でつなぎ、上部に座面を設けた構造を採る。また、２の内側に８が設けられており、踏み台１４を収納できる構造となっている。
【００１６】
板５は、両足をそろえて乗せられるだけの幅があり、片方に補助板６が取付けられ、もう片方には図１０に示す溝を備えた長穴があけられている。その長穴にシャフト１１が通り、さらに両端にカラー４を通し、左右の脚部の下部前方に挟まれるように取り付けられている。板はシャフトを軸にスライドすることができる。
【００１７】
補助板６・１０は板５の先端に設けられている。床面に渡された板５から垂直方向に１０が立ち上がり、その上面にある一定の角度をもって補助板６が設けられている。補助板６は長靴・ブーツ等の履物の足首部をはさめる形状の切り欠きを有する。この切り欠きの淵には、長靴・ブーツ等の履物をよりしっかり保持するためにゴム、皮革等のすべり止め７が設けられている。このすべり止め７は長靴・ブーツ等の履物の表面を傷つけない様保護する役目も担っている。
【００１８】
図３は、長靴脱ぎ器の収納時の投影図である。板５は、シャフト１１を軸に回転することによって、椅子前面に収納される。その際シャフトは図１１に示した溝Ｄにはまる。
【００１９】
本器具は踏み台１４を備えている。長靴・ブーツ等の履物を脱いだ後移動する際、任意の場所に置き使用する。図４のように、８の上に足をのせる面Ａを下に向けて収納できるため、常に汚れることなく清潔に保つことができる。
【００２０】
図５は、長靴脱ぎ器の踏み台１４を収納後、長靴・ブーツ等の履物を背面から収納した様子を示した投影図である。収納後上を向いている踏み台１４の裏面Ｂには、脱いだ後の長靴・ブーツ等の履物を収納することができる。
【００２１】
図９は、長靴脱ぎ器の底面図である。脚３の接地面にすべり止め１３が設けられている。板５の接地面四隅にも滑り止め１２が設けられている。
【００２２】
使用時は板部を床に倒し、図１０に示した溝Ｃにシャフト１１をはめ込み設置する。
【００２３】
長穴の代わりに、図１２に示したように溝のみを設けた形状でもよい。溝の形状は図１３の溝Ｆのような形状でもよい。シャフトも棒状に限らず図１３に示す２０のような椅子部材の形状とすればよい。
【００２４】
図１４は、長靴脱ぎ器使用時の説明図である。座面１に座り補助板６の切り欠きに踵をはさみ、足を手前に引き寄せ長靴・ブーツ等の履物を脱ぐ。
【００２５】
図１５は、長靴脱ぎ器の使用動作を示した説明図である。図１５（Ａ）のように座面１に座り、右足の長靴・ブーツ等の履物３０の踵を補助板６の切り欠きにはさみ込む。そのとき左足は板５の左外側に位置する。右足を手前に引き寄せ履物３０を脱ぐ。図１５（Ｂ）のように履物３０を脱いだ右足は板５にのせ、補助板６の切り欠きに捕らえられた３０をはずして適当な場所に置く。続いて左足の長靴・ブーツ等の履物３１の踵を補助板６の切り欠きに挟み込む。左足を手前に引き寄せ履物３１を脱ぐ。図１５（Ｃ）のように３１を脱いだ左足も板にのせ、補助板６の切り欠きに捕らえられた３１をはずして適当な場所に置く。前記は右足からの動作を表したが、左足からでも可能である。
【産業上の利用可能性】
【００２６】
農業従事者、座敷を有する飲食店、試着室を備えた衣料販売店等。
【符号の説明】
【００２７】
１  座面
３  脚
５  板
６  補助板
１１  シャフト
【図１】
2011019542.tif 000003
【図２】
2011019542.tif 000004
【図３】
2011019542.tif 000005
【図４】
2011019542.tif 000006
【図５】
2011019542.tif 000007
【図６】
2011019542.tif 000008
【図７】
2011019542.tif 000009
【図８】
2011019542.tif 000010
【図９】
2011019542.tif 000011
【図１０】
2011019542.tif 000012
【図１１】
2011019542.tif 000013
【図１２】
2011019542.tif 000014
【図１３】
2011019542.tif 000015
【図１４】
2011019542.tif 000016
【図１５】
2011019542.tif 000017